(57)【要約】      （修正有）【課題】ダミー抵抗器を用いて無線送受信機を調整した後、ダミー抵抗器を取り外してアンテナを再度取り付けるという手間がかからず、ダミー抵抗器使用時よりも電波を遠くに飛ばせるアンテナ部材を提供する。【解決手段】シールドを含むダミー抵抗器６と、前記ダミー抵抗器に接続されて前記シールドの極性を反転させて前記ダミー抵抗器を通信機器本体２に接続する回路部材１２と、備える。さらに、前記ダミー抵抗器が、シールド並びに前記シールドに接続されている第一端子及び第二端子を有し、前記通信機器本体が、前記第一端子及び前記第二端子にそれぞれ接続される第三端子及び第四端子を有し、前記回路部材が、前記第一端子及び前記第二端子をそれぞれ前記第四端子及び前記第三端子に接続し得る構成（第一導体及び第二導体）を有すること、が好ましい。【選択図】図３
0003178952.tif 000002
【実用新案登録請求の範囲】
【請求項１】
シールドを含むダミー抵抗器と、前記ダミー抵抗器に接続されて前記シールドの極性を反転させて前記ダミー抵抗器を通信機器本体に接続する回路部材と、を具備することを特徴とするアンテナ部材。
【請求項２】
前記ダミー抵抗器が、シールド並びに前記シールドに接続されている第一端子及び第二端子を有し、
前記通信機器本体が、前記第一端子及び前記第二端子にそれぞれ接続される第三端子及び第四端子を有し、
前記回路部材が、前記第一端子及び前記第二端子をそれぞれ前記第四端子及び前記第三端子に接続し得る構成を有すること、
を特徴とする請求項１に記載のアンテナ部材。
【請求項３】
前記ダミー抵抗器が、シールド並びに前記シールドに接続されている第一内部導体及び第一外部導体を含む第一同軸コネクタを有し、
前記通信機器本体が、前記第一内部導体及び前記第一外部導体にそれぞれ接続される内部導体及び外部導体を含む同軸コネクタを有し、
前記回路部材が、前記ダミー抵抗器の前記第一内部導体及び前記第一外部導体をそれぞれ前記通信機器本体の前記外部導体及び前記内部導体に接続し得る構成を有すること、
を特徴とする請求項１に記載のアンテナ部材。
【請求項４】
前記回路部材が、前記第一同軸コネクタに接続されて前記第一内部導体及び前記第一外部導体を分岐する内部導体用端子及び外部導体用端子を有する分岐器と、前記内部導体用端子及び前記外部導体用端子にそれぞれ接続され得る第二外部導体及び第二内部導体を有する第二同軸コネクタを含む接続部材と、で構成され、
前記ダミー抵抗器の前記第一内部導体及び前記第一外部導体が、それぞれ前記回路部材の前記第二外部導体及び前記第二内部導体に接続されることによって、前記通信機器本体の前記外部導体及び前記内部導体に接続され得る構成を有すること、
を特徴とする請求項３に記載のアンテナ部材。
【考案の詳細な説明】
【技術分野】
【０００１】
本考案は、新規な構造を有するアンテナ部材に関する。
【背景技術】
【０００２】
従来から、トランシーバーやアマチュア無線機等の無線送受信機の電流負荷の調整時には、アンテナの代わりに無誘導抵抗器（高周波においてもＬ性、Ｃ性にならないように工夫された特殊な抵抗器）を取り付けて電波が外部に発射されない状態で調整を行われている。この抵抗器は、ダミー抵抗器、ダミーロード、擬似負荷、疑似負荷抵抗又は疑似空中線回路等と呼ばれ、特性インピーダンスが５０Ωのものが一般的である。
【０００３】
例えば特許文献１（特開２０００−１７４５０６号公報）においては、「一方の面に厚膜または薄膜抵抗体を配置した板状長方形セラミックス基板をダミーロードの軸方向に複数直列に接続し、該抵抗体の平面幅を入力側で小さく、終端に近づくにしたがって順次広くしたことを特徴とする乾式大電力ダミーロード。」が提案されている（特許文献１、請求項１等）。
【０００４】
また、例えば特許文献２（特開２００３−３４７８０５号公報）においては、「抵抗体のインピーダンスをダミーロードの入力インピーダンスの値より低い値とし、ダミーロードの入力端から抵抗体側を見たインピーダンスを該入力インピーダンスに整合させるため、該入力端と該抵抗体との間にインピーダンス変換部を接続したことを特徴とするダミーロード。」が提案されている（特許文献２、請求項１等）。
【０００５】
このようなダミー抵抗器は、一定の時間内でＱＳＯできた人数を競うアマチュア無線のコンテストにおいても用いられている。即ち、アマチュア無線のコンテストにおいては、限られた領域内においてアマチュア無線機が機能すればいいことから、アンテナを用いなくてもよく、アマチュア無線機の調整後そのまま取り付けられた状態で使用されるのである。
【先行技術文献】
【特許文献】
【０００６】
【特許文献１】特開２０００−１７４５０６号公報
【特許文献２】特開２００３−３４７８０５号公報
【考案の概要】
【考案が解決しようとする課題】
【０００７】
しかしながら、上記のようなダミー抵抗器を無線送受信機に装着した場合、アンテナ機能が著しく低下してしまうため、電波をもう少し遠くに飛ばしたいと思うユーザーは、ダミー抵抗器を取り外して元のアンテナを再度取り付けなければならず、手間がかかるという問題があった。
【０００８】
そこで、本考案の目的は、ダミー抵抗器を用いて無線送受信機を調整した後、ダミー抵抗器を取り外してアンテナを再度取り付けるという手間がかからず、ダミー抵抗器使用時よりも電波を遠くに飛ばせるアンテナ部材を提供することにある。
【課題を解決するための手段】
【０００９】
本考案者は、上記の課題を解決するために鋭意検討した結果、ダミー抵抗器そのものにアンテナ機能を持たせることができれば、ダミー抵抗器を用いて無線送受信機を調整した後、ダミー抵抗器を取り外してアンテナを再度取り付けるという手間がかからず、ダミー抵抗器使用時よりも電波を遠くに飛ばせることができると考え、本考案を完成するに至った。
【００１０】
即ち、本考案は、シールドを含むダミー抵抗器と、前記ダミー抵抗器に接続されて前記シールドの極性を反転させて前記ダミー抵抗器を通信機器本体に接続する回路部材（前記ダミー抵抗器に接続されて前記シールドの極性を反転させて前記ダミー抵抗器を通信機器本体に接続し得るスイッチ機能を有する回路部材であってもよい。）と、を具備することを特徴とするアンテナ部材に関する。
【００１１】
上記本考案のアンテナ部材においては、より具体的には、前記ダミー抵抗器が、シールド並びに前記シールドに接続されている第一端子及び第二端子を有し、前記通信機器本体が、前記第一端子及び前記第二端子にそれぞれ接続される第三端子及び第四端子を有し、前記回路部材が、前記第一端子及び前記第二端子をそれぞれ前記第四端子及び前記第三端子に接続し得る構成（第一導体及び第二導体）を有すること、が好ましい。
【００１２】
このような構成を有する本考案のアンテナ部材によれば、ダミー抵抗器機能及びアンテナ機能の両方を有し、ダミー抵抗器を用いて無線送受信機を調整した後、ダミー抵抗器を取り外してアンテナを再度取り付けるという手間がかからず、ダミー抵抗器使用時よりも電波を遠くに飛ばせることができ便利である。
【００１３】
上記本考案のアンテナ部材においては、前記ダミー抵抗器が、シールド並びに前記シールドに接続されている第一内部導体及び第一外部導体を含む第一同軸コネクタを有し、前記通信機器本体が、前記第一内部導体及び前記第一外部導体にそれぞれ接続される内部導体及び外部導体を含む同軸コネクタを有し、前記回路部材が、前記ダミー抵抗器の前記第一内部導体及び前記第一外部導体をそれぞれ前記通信機器本体の前記外部導体及び前記内部導体に接続し得る構成を有すること、が好ましい。
【００１４】
このような構成を有する本考案のアンテナ部材によれば、簡単な構造でダミー抵抗器機能及びアンテナ機能の両方を発揮することができ、ダミー抵抗器機能とアンテナ機能との切換えが容易であり、ダミー抵抗器を用いて無線送受信機を調整した後、ダミー抵抗器を取り外してアンテナを再度取り付けるという手間がかからず、ダミー抵抗器使用時よりも電波を遠くに飛ばせることができ便利である。
【００１５】
上記本考案のアンテナ部材では、前記回路部材が、前記第一同軸コネクタに接続されて前記第一内部導体及び前記第一外部導体を分岐する内部導体用端子及び外部導体用端子を有する分岐器と、前記内部導体用端子及び前記外部導体用端子にそれぞれ接続される第二外部導体及び第二内部導体を有する第二同軸コネクタを含む接続部材と、で構成され、前記ダミー抵抗器の前記第一内部導体及び前記第一外部導体が、それぞれ前記回路部材の前記第二外部導体及び前記第二内部導体に接続されることによって、前記通信機器本体の前記外部導体及び前記内部導体に接続され得る構成を有すること、が好ましい。
【００１６】
このような構成を有する本考案のアンテナ部材によれば、簡単な構造で更に確実にダミー抵抗器機能及びアンテナ機能の両方を発揮することができ、ダミー抵抗器機能とアンテナ機能との切換えが更に容易であり、ダミー抵抗器を用いて無線送受信機を調整した後、ダミー抵抗器を取り外してアンテナを再度取り付けるという手間がかからず、ダミー抵抗器使用時よりも電波を遠くに飛ばせることができ便利である。
【考案の効果】
【００１７】
本考案によれば、ダミー抵抗器を用いて無線送受信機を調整した後、ダミー抵抗器を取り外してアンテナを再度取り付けるという手間がかからず、ダミー抵抗器使用時よりも電波を遠くに飛ばせるアンテナ部材を提供することができる。
【図面の簡単な説明】
【００１８】
【図１】従来のハンディ型アマチュア無線機の一例を示す概略正面図である。
【図２】図１に示すアマチュア無線機にダミー抵抗器を取り付けた様子を示す概略正面図である。
【図３】ダミー抵抗器及び回路部材を含む本考案のアンテナ部材を図１に示すアマチュア無線機に取り付けた様子を示す概略正面図である。
【図４】図３に示すダミー抵抗器の概略正面図である。
【図５】図３に示す回路部材の概略正面図である。
【考案を実施するための形態】
【００１９】
以下、図面を参照しながら本考案のアンテナ部材の好適な実施形態について説明するが、本考案はこれらのみに限定されるものではない。なお、以下の説明では、同一又は相当部分には同一符号を付し、重複する説明は省略することもある。また、図面は、本考案を概念的に説明するためのものであるから、理解容易のために、必要に応じて寸法、比又は数を誇張又は簡略化して表している場合もある。
【００２０】
図１は、を従来のハンディ型アマチュア無線機１の一例を示す概略正面図であり、図２は、図１に示すアマチュア無線機１の本体２が、内部導体及び外部導体を含む同軸コネクタ（雌型）を有するアンテナ４の代わりに、シールド（図示せず。）を含むダミー抵抗器６を取り付けた様子を示す概略正面図である。
【００２１】
本体２には、図示しないが、アンテナ４の同軸コネクタ（雌型）の内部導体及び外部導体とそれぞれ接続される内部導体及び外部導体を含む同軸コネクタ（雄型）が設けられている。
【００２２】
上述したように、従来のアマチュア無線機は、図１に示すように、通信機器本体（以下、単に「本体」ともいう。）２と本体２に取り付けられたアンテナ４とを具備する。これに対し、例えば一定の時間内でＱＳＯできた人数を競うアマチュア無線のコンテストにおいては、限られた領域内においてアマチュア無線機１が機能すればいいことから、図２に示すように、アマチュア無線機１にアンテナ４の代わりにダミー抵抗器６を取り付けて調整した後、そのままの状態で使用される。
【００２３】
しかしながら、図２に示すようなダミー抵抗器６を取り付けたアマチュア無線機１を使用する際、アンテナ機能が著しく低下してしまうため、電波をもう少し遠くに飛ばしたいと思うユーザーは、ダミー抵抗器６を取り外して元のアンテナ４を再度取り付けなければならず、手間がかかるという問題があった。
【００２４】
これに対し、本実施形態のアンテナ部材２０は、かかる問題を解消すべく、図３に示すように、ダミー抵抗器６と、ダミー抵抗器６に接続されてシールド（図示せず。）の極性を反転させてダミー抵抗器６をアンテナ機能を持たせつつ本体２に接続する回路部材１２と、を具備する。図３は、ダミー抵抗器６及び回路部材１２を含む本実施形態のアンテナ部材２０をアマチュア無線機１の本体２に取り付けた様子を示す概略正面図である。
【００２５】
次に、本実施形態のダミー抵抗器６及び回路部材１２について説明する。図４は、図３に示す本実施形態のアンテナ部材２０に含まれるダミー抵抗器６の概略正面図であり、図５は図３に示す本実施形態のアンテナ部材２０に含まれる回路部材１２の概略正面図である。
【００２６】
図４に示す本実施形態のダミー抵抗器６は、従来公知の構造を有するものであってよく、シールド並びにシールドに接続されている第一端子及び第二端子を内蔵する筐体６ａと、第一端子及び第二端子にそれぞれ接続されている第一内部導体及び第一外部導体を含む第一同軸コネクタ（雌型）６ｂと、を具備する。かかるダミー抵抗器６としては、例えば日本高周波（株）製の同軸用ダミーロードや第一電波工業（株）製のダミーロード等を用いることができる。
【００２７】
そして、図５に示す本実施形態の回路部材１２は、分岐器８と接続部材１０とを含んでおり、ダミー抵抗器６とともに本実施形態のアンテナ部材２０を構成するものであり、ダミー抵抗器６と本体２との間に接続されて使用されるものである。
【００２８】
回路部材１２のうちの分岐器８は、その同軸コネクタ（雄型）８ａにおいてダミー抵抗器６の第一同軸コネクタ（雌型）６ｂに接続されるものであり、ダミー抵抗器６の第一同軸コネクタ６ｂ内の第一内部導体及び第一外部導体を分岐するバナナプラグ型の内部導体用端子８ｂ及び外部導体用端子８ｃを有している。
【００２９】
また、回路部材１２のうちの接続部材１０は、ダミー抵抗器６内の第一内部導体及び第一外部導体をそれぞれ本体２の内部導体及び外部導体に接続させることができ、また、極性を反転させつつそれぞれ本体２の外部導体及び内部導体に接続できるものである。
【００３０】
具体的には、接続部材１０は、分岐器８のバナナプラグ型の内部導体用端子８ｂ及び外部導体用端子８ｃにそれぞれ接続される内部導体用端子用ソケット１０ｂ及び外部導体用端子用ソケット１０ｃと、第二同軸コネクタ（雌型）１０ａと、を有している。内部導体用端子用ソケット１０ｂ及び外部導体用端子用ソケット１０ｃは、それぞれ第二同軸コネクタ（雌型）１０ａに含まれる第二内部導体（図示せず。）及び第二外部導体（図示せず。）に接続されている。
【００３１】
ここで、分岐器８のバナナプラグ型の内部導体用端子８ｂ及び外部導体用端子８ｃと、接続部材１０の内部導体用端子用ソケット１０ｂ及び外部導体用端子用ソケット１０ｃと、をそれぞれ接続すれば、ダミー抵抗器６を本体に２に接続したのと同じ電気的構成となり、本体２の調整を行うことができる。
【００３２】
他方、分岐器８のバナナプラグ型の内部導体用端子８ｂ及び外部導体用端子８ｃを、接続部材１０の外部導体用端子用ソケット１０ｃ及び内部導体用端子用ソケット１０ｂと、をそれぞれ接続すれば、ダミー抵抗器６を極性を反転（スイッチ）させつつ本体に２に接続したのと同じ電気的構成となり、ダミー抵抗器６にアンテナ機能を持たせることができる。
【００３３】
このように本実施形態の回路部材２０は、ダミー抵抗器６と本体２とを、極性が正常な状態で接続するとともに、極性が反転した状態で接続することのできるスイッチ機能を有し、これを用いた本実施形態のアンテナ部材２０によれば、簡単な構造で確実にダミー抵抗器としての機能及びアンテナとしての機能の両方を発揮することができ、かつ、ダミー抵抗器としての機能とアンテナとしての機能との切換えが更に容易である。
【００３４】
そして、本実施形態のアンテナ部材２０を用いれば、ダミー抵抗器６を用いて無線送受信機（無線機器の本体２）を調整した後、ダミー抵抗器６を取り外してアンテナを再度取り付けるという手間がかからず、ダミー抵抗器６のみを使用している時よりも電波を遠くに飛ばせることができる。
【００３５】
以上、本考案のアンテナ部材の代表的な実施形態について説明したが、本考案はこれらのみに限定されるものではない。例えば、回路部材を構成する分岐器及び接続部材については、図５に示す構造のものについて説明したが、極性を反転して接続できるものであれば制限なく採用することができる。例えば、接続する端子を変更することができるスイッチ機構（手動又は電動）を採用してもよい。
【符号の説明】
【００３６】
１・・・アマチュア無線機、
２・・・通信機器本体、
４・・・アンテナ、
６・・・ダミー抵抗器、
６ａ・・・筐体、
６ｂ・・・同軸コネクタ（雌型）、
８・・・分岐器、
８ａ・・・同軸コネクタ（雄型）、
８ｂ・・・内部導体用端子、
８ｃ・・・外部導体用端子、
１０・・・接続部材、
１０ａ・・・第二同軸コネクタ（雌型）、
１０ｂ・・・内部導体用端子用ソケット、
１０ｃ・・・外部導体用端子用ソケット、
１２・・・回路部材、
２０・・・アンテナ部材。
【図１】
0003178952.tif 000003
【図２】
0003178952.tif 000004
【図３】
0003178952.tif 000005
【図４】
0003178952.tif 000006
【図５】
0003178952.tif 000007